(57)【要約】【課題】  本発明では中継装置において、迷惑電話の通信元検出を目的とする。【解決手段】  中継装置は呼制御メッセージ中の通信先識別子、通信元識別子、呼識別子の識別子群が時刻情報と共にエントリ保存される呼情報保存手段と、受信した呼制御メッセージを複製する通信処理手段と、呼設定メッセージの識別子群を抽出し、識別子群が呼情報保存手段にエントリとして保存されていないときには新規エントリ保存し、呼設定要求取消メッセージの識別子群を抽出し、識別子群と同じ識別子群がエントリ保存されているときには保存される時刻情報と現在の時刻情報とが所定時間内であるか比較し、所定時間内であればそのエントリを不正呼として呼情報保存手段に記録する通信解析部を有し、通信解析部は呼情報保存部に保存されているエントリの同一の通信元識別子に対して、不正呼と記録されたエントリが所定数を超えると、管理システムにその通信元識別子を通知する。【選択図】  図４
2007096941.tif 000002
【特許請求の範囲】
【請求項１】
ネットワークを介してＩＰ電話機能を有する通信端末と呼制御サーバに接続される中継装置であって、
呼制御メッセージ中の通信先識別子、通信元識別子、呼識別子の識別子群が現在の時刻情報と共にエントリとして保存される呼情報保存手段と、
前記通信端末と前記呼制御サーバとの呼制御メッセージを転送する送受信手段と、
前記送受信手段で受信した呼制御メッセージを複製する通信処理手段と、
前記通信処理手段で複製された呼制御メッセージが呼設定メッセージである場合、前記呼設定メッセージから前記識別子群を抽出し、前記識別子群が前記呼情報保存手段にエントリとして保存されていないときには前記識別子群を新規エントリとして前記呼情報保存手段に保存し、前記通信処理手段で受信した呼制御メッセージが呼設定要求取消メッセージである場合、前記呼設定要求取消メッセージから前記識別子群を抽出し、抽出された前記識別子群と同じ識別子群がエントリとして前記呼情報保存手段に保存されているときには保存されている時刻情報と現在の時刻情報とが所定時間内であるかを比較し、所定時間内であればそのエントリを不正呼として前記呼情報保存手段に記録する通信解析部とを有し、
前記通信解析部は前記呼情報保存部に保存されているエントリのうち、同一の通信元識別子に対して、不正呼と記録されたエントリの数の中で通信先識別子が異なるエントリの数が所定数を超えると、ネットワークを介して管理システムに前記同一の通信元識別子を通知すること
を特徴とする中継装置。
【発明の詳細な説明】
【技術分野】
【０００１】
この発明は、ＩＰ（Internet protocol）電話において、迷惑電話に対して有効な処理を提供するネットワークシステムにおける中継装置に関するものである。
【背景技術】
【０００２】
従来は、下記特許文献１に示されるように、電話機からの接続電文および切断電文を中継処理する電話交換機能を有するサーバ装置であって、発信側電話機から接続電文を受信した後、規定時間内に発信側電話機から切断電文を受信した場合、受信した接続電文を不正コールと見なし、発信側電話機から受信側電話機への中継処理を抑止するサーバ装置があった。ここで、規定時間は調節可能とすることができる。また、中継処理の抑止は、発信側電話機の不正コールの回数に基づいて行うことができ、また、前記発信側電話機の不正コールの着信間隔を統計的に分析した結果に基づいて行うことができ、また、発信側電話機の不正コールの回数と総発信回数との関係に基づいて行うことができる。不正コールの着信間隔を統計的に分析した結果とは、例えば連続的または一定時間に規定回数以上の不正コールの発生があった場合などをいう。不正コールの回数と総発信回数との関係とは、例えば不正コールの回数と総発信回数の比がある規定値を超えた場合などをいう。
【特許文献１】特開２００５−２０５２４号公報
【発明の開示】
【発明が解決しようとする課題】
【０００３】
しかしながら、上述された特許文献１に記載されるようなサーバ装置では、連続的または一定時間に規定回数以上の不正コールの発生があった場合に検出するために、迷惑電話の発信間隔が規定値を超える場合には検出できない。また、不正コールの回数と総発信回数の比がある規定値を超えた場合に検出するために、通常の不在着信を誤検出してしまう場合がある。
【課題を解決するための手段】
【０００４】
かかる課題を解決するため、本発明による中継装置は、ネットワークを介してＩＰ電話機能を有する通信端末と呼制御サーバに接続される中継装置であって、呼制御メッセージ中の通信先識別子、通信元識別子、呼識別子の識別子群が現在の時刻情報と共にエントリとして保存される呼情報保存手段と、通信端末と呼制御サーバとの呼制御メッセージを転送する送受信手段と、送受信手段で受信した呼制御メッセージを複製する通信処理手段と、通信処理手段で複製された呼制御メッセージが呼設定メッセージである場合、呼設定メッセージから識別子群を抽出し、識別子群が呼情報保存手段にエントリとして保存されていないときには識別子群を新規エントリとして呼情報保存手段に保存し、通信処理手段で受信した呼制御メッセージが呼設定要求取消メッセージである場合、呼設定要求取消メッセージから識別子群を抽出し、抽出された識別子群と同じ識別子群がエントリとして呼情報保存手段に保存されているときには保存されている時刻情報と現在の時刻情報とが所定時間内であるかを比較し、所定時間内であればそのエントリを不正呼として呼情報保存手段に記録する通信解析部とを有し、通信解析部は呼情報保存部に保存されているエントリのうち、同一の通信元識別子に対して、不正呼と記録されたエントリの数が所定数を超えると、ネットワークを介して管理システムに前記同一の通信元識別子を通知することを特徴とする。
【発明の効果】
【０００５】
発明の効果として、本発明の中継装置によれば呼制御メッセージ中の通信先識別子、通信元識別子、呼識別子の識別子群が現在の時刻情報と共にエントリとして保存される呼情報保存手段と、通信端末と呼制御サーバとの呼制御メッセージを転送する送受信手段と、送受信手段で受信した呼制御メッセージを複製する通信処理手段と、通信処理手段で複製された呼制御メッセージが呼設定メッセージである場合、呼設定メッセージから識別子群を抽出し、識別子群が呼情報保存手段にエントリとして保存されていないときには識別子群を新規エントリとして呼情報保存手段に保存し、通信処理手段で受信した呼制御メッセージが呼設定要求取消メッセージである場合、呼設定要求取消メッセージから識別子群を抽出し、抽出された識別子群と同じ識別子群がエントリとして呼情報保存手段に保存されているときには保存されている時刻情報と現在の時刻情報とが所定時間内であるかを比較し、所定時間内であればそのエントリを不正呼として呼情報保存手段に記録する通信解析部とを有し、通信解析部は呼情報保存部に保存されているエントリのうち、同一の通信元識別子に対して、不正呼と記録されたエントリの数が所定数を超えると、ネットワークを介して管理システムに前記同一の通信元識別子を通知することにより、呼制御メッセージの通信元識別子と通信先識別子の組み合わせで統計を取ることが可能となり、迷惑電話の通信元を検出する精度が向上できる。
【発明を実施するための最良の形態】
【０００６】
本発明による中継装置の実施例は、添付図面を参照して詳細に説明される。
【実施例１】
【０００７】
以下、本発明による電子記事収集システムの実施例１は、図１〜図４を用いて説明される。図１は本発明のネットワーク上の接続構成を示す図である。図２は本発明の中継装置の機能構成を示す図である。図３は呼情報保存部のテーブルを示す図である。図４は中継装置の動作フローを示す図である。
【０００８】
まず図１において本発明のネットワーク上の接続構成が説明される。中継装置１１は第１のネットワーク１２を介してＶｏＩＰ（Voice over Internet Protocol）サーバ１３に接続されている。また、中継装置１１は第２のネットワークを介してＩＰ電話端末１５に接続されている。管理システム１６は第１のネットワーク１２に接続される通信キャリア業者が有するネットワークを管理するためのシステムである。
【０００９】
中継装置１１は、ＶｏＩＰサーバ１３とＩＰ電話端末１５の間に位置し、ＶｏＩＰサーバ１３とＩＰ電話端末１５の間で送受信される呼制御通信を透過的に転送する機能を有する。
第１のネットワーク１２は音声ＩＰパケットが伝送されるＩＰネットワークである。ＶｏＩＰサーバ１３はＩＰ電話端末１５等が電話接続を行うときに接続先の通信端末との呼制御処理を行うサーバである。ＶｏＩＰサーバ１３は第１のネットワーク１２に複数接続されていてもよい。
第２のネットワーク１４も第１のネットワーク１２と同様に音声ＩＰパケットが伝送されるＩＰネットワークである。ＩＰ電話端末１５は、ＩＰ電話機能を有する通信端末であれば何でもよく、図示されないが、第２のネットワーク１４に複数接続されているものとする。
また、第１のネットワーク１２と第２のネットワーク１４とは、同一のネットワークでもよい。
【００１０】
中継装置１１については、図２を用いて詳細に説明される。中継装置１１は、送受信部２１、通信処理部２２、通信解析部２３、内蔵時計２４、呼情報保存部２５から構成される。
【００１１】
送受信部２１は、第１のネットワーク１２や第２のネットワーク１４に接続され、ＶｏＩＰサーバ１３とＩＰ電話端末１５との間の呼制御メッセージを受信する機能と受信した呼制御メッセージを送信する機能を有している。送受信部２１は、受信した呼制御メッセージを通信処理部２２に送信する。図２においては送受信部が２つであるが、２つ以上の場合もありうる。
【００１２】
通信処理部２２は、送受信部２１が送信した呼制御メッセージを受信すると、呼制御メッセージを複製して、複製した呼制御メッセージを通信解析部２３に送信する。通信処理部２２は、呼制御メッセージを複製した後、呼制御メッセージを第１のネットワーク１２や第２のネットワーク１４を介して呼制御メッセージの通信先に転送する。
内蔵時計２４は、通信解析部２３からの要求により、現在の時刻情報を通信解析部２３に提供する。
呼情報保存部２５は、エントリごとに通信先識別子、通信元識別子、呼識別子、時刻情報、不正呼の情報が保存される。
【００１３】
複製された呼制御メッセージを受信した通信解析部２３は、その呼制御メッセージが呼設定メッセージである場合、呼設定メッセージに含まれる通信先識別子、通信元識別子、呼識別子を抽出する。通信先識別子は通信先の電話番号、ＩＰアドレス、ＵＲＩ（Uniform Resource Identifier）であり、通信元識別子は電話番号、ＩＰアドレス、ＵＲＩであり、呼識別子は通信ごとに設定される識別情報である。本実施例では、通信先識別子と通信元識別子は電話番号であるとする。通信先識別子と通信元識別子と呼識別子を合わせて識別子群とする。通信解析部２３は、抽出した識別子群と同一の組み合わせのエントリが呼情報保存部２５に存在するか否かを確認し、同一の組み合わせのエントリが存在しない場合には、呼情報保存部２５に識別子群を内蔵時計から得られた現在の時刻情報と共に新規のエントリとして保存する。ここで識別子群と同一の組み合わせとは、通信先識別子、通信元識別子、呼識別子が完全一致していることを指す。呼制御メッセージのパケットが中継装置１１を通過後にパケットロスとなった場合、ＩＰ電話端末１５から同一のパケットが再送されることになり、同一の組み合わせのエントリが存在することになるが、この場合にはエントリ情報の保存は行わない。
【００１４】
複製された呼制御メッセージを受信した通信解析部２３は、その呼制御メッセージが呼設定要求取消メッセージである場合、呼設定要求取消メッセージに含まれる通信先識別子、通信元識別子、呼識別子を抽出し、同一の組み合わせのエントリが呼情報保存部２５に存在するかを確認し、存在する場合には記録されている時刻情報と現在の時刻情報を比較し、それが予め規定時間（例えば３秒）内であれば、そのエントリに対して不正呼として情報を記録する。呼設定メッセージのパケットが中継装置１１を通過前にパケットロスとなった場合、ＩＰ電話端末１５から同一のパケットが再送されるよりも前に呼設定要求取消メッセージのパケットが送信されると、同一の組み合わせのエントリが存在しないことになるが、この場合はエントリ情報の保存は行わず、不正呼の情報も記録しない。
【００１５】
通信解析部２３は、呼情報保存部２５に記録されたエントリの情報のうち、同一の通信元識別子に対して、不正呼と記録されたエントリの数の中で通信先識別子が異なるエントリの数が規定個数（例えば１００個）を超えると、ネットワークを介して管理システム１６にその同一の通信元識別子を迷惑電話の通信元として通知する。通清制御部２３は、エントリの数などを把握するためにカウンタを有する。
【００１６】
次に図３を用いて、呼情報保存部２５のテーブル情報が説明される。呼情報保存部２５のテーブル情報の項目として、エントリの番号、通信先識別子、通信元識別子、呼識別子、時刻情報、不正呼のフラグが記録される。
例えば、エントリの番号１に対しては、通信先識別子として電話番号ａ、通信元識別子として電話番号ｃ、呼識別子として呼識別子ａ、時刻情報として１０：００：００（１０時０分０秒）、不正呼のフラグとして不正であることが記録されている。時刻情報は日付情報を含むが、ここでは省略するものとする。
また、エントリの番号４のように、不正呼のフラグとして、情報が記録されていないエントリについては、不正呼でないことになる。
【００１７】
次に図４を用いて中継装置の動作が説明される。
まず、悪意のある利用者が電話番号ａのＩＰ電話端末１５から、電話番号ｅを有する図示されないＩＰ電話端末に対して通信接続をしようとする。ＩＰ電話端末１５は、通信接続をするためにＶｏＩＰサーバ１３に対して、呼制御メッセージを送信する。この呼制御メッセージは呼設定メッセージである。
【００１８】
図４において、中継装置１１は動作を開始する（Ｓ４０１）。ＩＰ電話端末１５が送信した呼制御メッセージを受信する（Ｓ４０２）。中継装置１１は、受信した呼制御メッセージを複製する（Ｓ４０３）。中継装置１１は、呼制御メッセージを複製した後、呼制御メッセージをＶｏＩＰサーバ１３に隣接している第１のネットワーク１２に接続している送受信部２１へ送信し、受信した呼設定メッセージを転送する（Ｓ４０４）。
中継装置１１は複製した呼制御メッセージの内容が呼設定メッセージであるか、呼設定要求取消メッセージであるか、それら以外のメッセージであるかを確認する（Ｓ４０５）。呼設定メッセージである場合はＡへ移り、呼設定要求取消メッセージである場合はＢへ移る。また、複製した呼制御メッセージがこれら以外のメッセージである場合にはＣへ移り、中継装置１１は再び呼制御メッセージの受信を待つことになる。
【００１９】
中継装置１１は、呼制御メッセージが呼設定メッセージであるのでＡへ移り、呼設定メッセージから識別子群を抽出する（Ｓ４０６）。そして、その識別子群と同一の組み合わせのエントリが、呼情報保存部２５に記録されているかを確認し、同一の組み合わせのエントリが呼情報保存部２５に記録されていない場合には、その識別子群を現在の時刻情報と共に呼情報保存部２５に記録する（Ｓ４０７）。中継装置１１は記録後、再び呼制御メッセージの受信を待つことになる。
【００２０】
ＶｏＩＰサーバ１３は、ＩＰ電話端末１５からの呼設定メッセージを受信すると、ＩＰ電話端末１５と通信先のＩＰ電話端末との呼制御処理を行う。そして、通信先のＩＰ電話端末が鳴動する。
【００２１】
次に悪意のある利用者が通信接続をしようとした後に、ＩＰ電話端末１５から、通信先のＩＰ電話端末に対して通信切断をしようとする。
ＩＰ電話端末１５は、通信切断をするためにＶｏＩＰサーバ１３に対して、呼制御メッセージを送信する。この呼制御メッセージは呼設定要求取消メッセージである。
【００２２】
図４において、中継装置１１はＩＰ電話端末１５が送信した呼制御メッセージを受信する（Ｓ４０２）。中継装置１１は、受信した呼制御メッセージを複製する（Ｓ４０３）。中継装置１１は、呼制御メッセージを複製した後、呼制御メッセージをＶｏＩＰサーバ１３に隣接している第１のネットワーク１２に接続している送受信部２１へ送信し、受信した呼設定メッセージを転送する（Ｓ４０４）。中継装置１１は複製した呼制御メッセージの内容が呼設定メッセージであるか、呼設定要求取消メッセージであるか、それら以外のメッセージであるかを確認する（Ｓ４０５）。呼設定メッセージである場合はＡへ移り、呼設定要求取消メッセージである場合はＢへ移る。また、複製した呼制御メッセージがこれら以外のメッセージである場合にはＣへ移り、中継装置１１は再び呼制御メッセージの受信を待つことになる。
【００２３】
中継装置１１は、呼制御メッセージが呼設定要求取消メッセージであるのでＢへ移り、呼設定要求取消メッセージから識別子群を抽出する（Ｓ４０８）。そして、その識別子群と同一の組み合わせのエントリが、呼情報保存部２５に記録されているかを確認し、同一の組み合わせのエントリが呼情報保存部２５に記録されている場合には、その識別子群のエントリに記録されている時刻情報と現在の時刻情報が３秒以内であるか否かを確認する（Ｓ４０９）。確認の結果、記録されている時刻情報と現在の時刻情報が３秒以内でなければ、ＩＰ電話端末１５からの発信を不正呼と判断せず、そのエントリに不正呼として記録せず、再び呼制御メッセージの受信を待つことになる。
【００２４】
Ｓ４０９にて、確認の結果、記録されている時刻情報と現在の時刻情報が３秒以内であれば、ＩＰ電話端末１５からの発信を不正呼と判断し、そのエントリに不正呼として記録する（Ｓ４１１）。
【００２５】
エントリ情報に不正呼の情報が記録された後、中継装置１１は、呼情報保存部２５に記録されているエントリ情報のうち、同一の通信元識別子に対して、不正呼と記録されたエントリの数の中で通信先識別子が異なるエントリの数が規定個数１００個を超えているか、つまり１０１個以上になるかを判定する（Ｓ４１２）。同一の通信元識別子に対して、不正呼と記録されたエントリの数の中で通信先識別子が異なるエントリの数が１０１個以上でない場合には再び呼制御メッセージの受信を待つことになる。
【００２６】
例えば、図３において同一の通信元識別子「電話番号ａ」に対して、不正呼と記録されたエントリの数の中で通信先識別子が異なるエントリの数が１０１個以上である場合には、その通信元識別子「電話番号ａ」を迷惑電話の通信元として管理システム１６に通知する（Ｓ４１３）。迷惑電話と判断された通信元を通知後、中継装置１１は、再び呼制御メッセージの受信を待つことになる。
【００２７】
通信キャリア業者は、管理システム１６に通知された発信元に対して、規制をかけることができる。
【図面の簡単な説明】
【００２８】
【図１】本発明のネットワーク上の接続構成を示す図
【図２】中継装置の機能構成を示す図
【図３】中継装置内の呼情報保存部のテーブルを示す図
【図４】中継装置の動作フローを示す図
【符号の説明】
【００２９】
１１…中継装置、１２…第１のネットワーク、１３…ＶｏＩＰサーバ、１４…第２のネットワーク、１５…ＩＰ電話端末、１６…管理システム、２１…送受信部、２２…通信処理部、２３…通信解析部、２４…内蔵時計、２５…呼情報保存部
【図１】
2007096941.tif 000003
【図２】
2007096941.tif 000004
【図３】
2007096941.tif 000005
【図４】
2007096941.tif 000006